(57)【要約】  本発明は、警報装置の付いた容器（１）の輸送、特に貴重品または重要書類の輸送に関する方法またはプロセスに関する。容器（１）は、容器の停止および／または容器の開放を受け入れかつ許容するように機能する第１の電子ユニット（２）を備えており、容器は一次鍵（１０）を用いて開放され、一次鍵（１０）は、容器の開放の開始に関して第１の電子ユニット（２）と通信する第２の電子ユニット（１２）を備える。容器（１）を輸送する人が一次鍵（１０）を携行し、容器は、人によって搬送される一次鍵（１０）からの符号サブセット（ＡＢ）を、宛先にある（destination-located）二次鍵（２０）から得られる符号サブセット（ＣＤ）と協働させて用い、それをもって容器の開放／停止を開始するのに必要な完全な符号セット（ＡＢＣＤ）を提供することにより、その宛先において開放されかつ／またはその警報システムが停止される。輸送経路（１００）が複数の配達先／集荷先（１１０、１２０、１３０）を含む場合、互いに異なる符号サブセットを有する二次鍵（２０）はそれぞれ上記宛先に配置され、それにより、上述した人によって搬送される一次鍵（１０）は、例えば、選択した輸送経路（１００）上の、各宛先（１１０、１２０、１３０）において各二次鍵（２０）から得られる符号サブセット（ＣＤ、ＥＦ、ＧＨ）と協働して容器を開放しかつ／または停止することができる。
2005515337.tif 000002
【特許請求の範囲】
【請求項１】
警報装置の付いた容器の輸送、特に貴重品または重要書類等の輸送に関する方法であって、
前記容器（１）は、前記容器の停止および／または開放を受け入れかつ許容するように機能することができる第１の電子ユニット（２）を備え、
前記容器を開放することができる一次鍵（１０）が、前記容器の開放を開始するように前記第１の電子ユニット（２）と通信する第２の電子ユニット（１２）を備え、
前記容器（１）を輸送する人が前記一次鍵（１０）を搬送し、
目的とする宛先での前記容器（１）の開放および／または停止は、前記人によって搬送される一次鍵（１０）からの符号サブセット（ＡＢ）を、前記目的とする宛先にある二次鍵（２０）からの符号サブセット（ＣＤ）と協働させて用いることにより行われ、
前記協働は、前記容器の開放／停止を開始するための完全な符号セット（ＡＢＣＤ）を提供することを特徴とする、警報装置の付いた容器の輸送、特に貴重品または重要書類等の輸送に関する方法。
【請求項２】
前記二次鍵（２０）は、前記容器（１）の停止および／または開放を開始するのに必要とされる前記完全な符号セット（ＡＢＣＤ）のサブセット（ＣＤ）を含む第３の電子ユニット（２２）を備えることを特徴とする請求項１に記載の方法。
【請求項３】
輸送経路（１００）が複数の配達先／集荷先（１１０、１２０、１３０）を含む場合、互いに異なる符号サブセットを有する複数の二次鍵（２０）が前記宛先に配置され、前記二次鍵（２０）の各々からの符号サブセット（ＣＤ、ＥＦ、ＧＨ）と協働する、前記人によって搬送される一次鍵（１０）により、例えば、輸送経路（１００）沿いの各宛先場所（１１０、１２０、１３０）において前記容器を開放／停止することができることを特徴とする請求項１または２に記載の方法。
【請求項４】
所与の宛先（１１０、１２０、１３０）に関する前記容器の開放／停止は、所与の期間に制限されていることを特徴とする請求項１ないし３のいずれか一項に記載の方法。
【請求項５】
所与の宛先（１１０、１２０、１３０）に関する容器の開放／停止は、限定された地理的な領域に制限されていることを特徴とする請求項１〜４のいずれか一項に記載の方法。
【請求項６】
紛失した一次鍵（１０）を封鎖し、前記紛失した鍵を、新たな符号サブセットを含む新たな一次鍵（１０）と取り替えること、および同時に前記容器（１）の開放符号／停止符号を変更することを特徴とする請求項１〜５のいずれか一項に記載の方法。
【請求項７】
紛失した二次鍵（２０）を封鎖し、前記紛失した鍵を、新たな符号サブセットを含む新たな二次鍵（２０）と取り替えること、および同時に前記容器（１）の前記開放符号／停止符号セットを変更することを特徴とする請求項１〜６のいずれか一項に記載の方法。
【請求項８】
請求項１〜７のいずれか一項に記載の方法を実行する装置であって、前記符号サブセットを記憶する電子ユニット（１２）を有する一次鍵（１０）を備え、前記電子ユニット（１２）は第１のケーシング（１１）に封入されていることを特徴とする装置。
【請求項９】
符号サブセットを記憶する電子ユニット（２２）またはメモリユニットを有する二次鍵（２０）をさらに備え、前記電子ユニット（２２）またはメモリユニットは第２のケーシング（２１）に封入されていることを特徴とする請求項８に記載の装置。
【請求項１０】
例えば、関連する符号サブセットを記憶するメモリカードまたはワイヤメモリの形態のメモリユニットを備える二次鍵（２０）を有し、例えば、前記メモリユニットのシリアル番号は関連する符号サブセット（ＣＤ、ＥＦ、ＧＨ等）を構成することを特徴とする請求項８または９に記載の装置。
【請求項１１】
前記鍵（１０、２０）は、異なる地理的宛先への安全な輸送に関連して使用されることを特徴とする先行する請求項の１つまたは複数に記載の一次鍵（１０）および複数の二次鍵（２０）の使用。
【発明の詳細な説明】
【技術分野】
【０００１】
本発明は、添付の請求項第１項の前提部分に従う警報装置の付いた容器の輸送に関する方法に関する。また、本発明は、装置に関する。
【０００２】
例えば、貴重品または重要書類の輸送に使用される容器またはいわゆるセキュリティバッグ（security bags）あるいはケースは、符号に基づいたセキュリティレベルの高い開放手法を加えることを必要とする。
【０００３】
残念なことに、輸送可能容器の警報システムを停止させかつ／または容器を開放することができる鍵が盗難に遭うかまたは不正な者の手に渡ってしまうことにより、警報が停止されかつ／または容器が目的とする以外の地理的な位置で開放される可能性がある。
【０００４】
ＳＥ０２００１６９−１は、この問題への、固定の正規の配達先に関して非常に効率的に機能する解決策を教示している。
【０００５】
しかしながら、容器は一時的に異なる輸送経路に沿って集荷され配達される場合があるので、固定された備え付けの第２の鍵（顧客鍵／二次鍵）を使用するのが不可能になる場合がある。また、必要と考えられる場合には、紛失した顧客鍵の使用を封鎖（block）し、輸送経路沿いの残りの顧客がその封鎖により影響を受けず、一方で同時に、このために第１の鍵（一次鍵）のコーディングを変える必要をなくすことができることが望ましい。
【０００６】
したがって、本発明の目的は、例えば、警報システムの停止および／または可搬式／輸送可能容器の開放が輸送経路に沿った正しい位置で確実に行われるようにする非常に魅力的で安全な方法またはプロセスを提供することである。この目的は添付の特許請求の範囲において記載される特有の特徴を有する方法で達成される。
【０００７】
本発明によりもたらされるこれらの利点のうちでとりわけ、本方法が非常に高いセキュリティレベルに加え経済上の利点を提供すると言うことができる。権限のない人が顧客鍵／二次鍵へのアクセスを得たとしても、例えば、関連する顧客鍵を遠隔封鎖することにより、可搬式容器の停止および／または開放を防ぐことができる。これは、いわゆる内部犯罪を効果的に防ぐ、つまり紛失した鍵はセキュリティ上の危険を生じない。一次鍵は依然として通常通り使用することができる。
【０００８】
ここで、添付図面を参照して例として本発明をより詳細に説明する。
【０００９】
図１に示す輸送容器１は、符号の作用により開放しかつ／またはその警報システムを停止することができる密封可能な保管スペースを例示している。図示の輸送容器１は、セキュリティ容器／セキュリティカセットを形成し、その外側ケーシングに、ケーシングに穴を開けるかまたはケーシングを折り曲げて壊そうとするあらゆる試み、あるいはケーシングを開放しようとする他のあらゆる不正な試みも知らせることができるようになっている警報システムが備えられている。容器１内には、第１の電子ユニット２およびそれに必要となる電源が設けられている。電子ユニット２は、例えば信号電流回路／警報電流回路が破損されるとすぐに、その時点で容器の保管スペースにある貴重な内容物を破壊するかまたはその内容物に影響を与えるように、容器中の破壊エージェント（destruction agent）等を作動させるように設計されている。警報電子回路／警報システムおよび電子ユニットの作動および停止は、適切な高いセキュリティの符号システムによって行われる。上述した輸送容器１を異なる場所／宛先間で貴重品を輸送するのに使用することができ、それにより、容器中に貴重品、例えば紙幣、書類、コンピュータディスク等を入れた後に、容器１は閉鎖され、警報システムは、目的とする宛先に容器が輸送される前に作動され、その後、配達先において鍵を用いて警報システムを停止することにより、容器は符号に基づいてその宛先において開放されるが、それにより、破壊エージェントを作動せずかつそれをもって容器の内容物を破壊せずに容器１を開放することができる。次に、容器を空にしてさらなる物体あるいは文書等を再び詰め込むことができる。
【００１０】
また、図１には、二次鍵２０と組み合わせて可搬式容器１を停止しかつ／または開放することができるように設計されている第１の鍵／一次鍵１０が示されている。一次鍵１０は、ケーシングに対するあらゆる種類の権限のない操作、例えば、ケーシングに穴を開けるかまたはケーシングを開放しようとする試みを知らせることができる警報システムが備えられた外側ケーシング１１に封入されている。鍵ケーシング１１は、第２の電子ユニット１２を含み、電源を含む場合もある。ケーシングに穴をこじ開けるかまたは上記ケーシング１１を開放しようとする試みは、一次鍵１０の符号内容の破壊につながる。また、一次鍵１０は、操作ボタン１３を含んでもよい。
【００１１】
一次鍵１０の電子ユニット１２に符号および場合によっては他の情報をロードすることができるようにするために、一時的にプログラミング装置を接続することができる電気ソケットが設けられる。また、鍵１０は、必要な場合には例えば電磁波（例えば、赤外線、いわゆるＩＲ線）を介して、電子ユニット１２が容器１内の電子ユニット２と通信することができるようにする手段１４を含む。
【００１２】
容器１の電子ユニット２に符号および場合によっては他の情報をロードすることができるようにするために、一時的にプログラミング装置を接続することができる電気ソケットが設けられる。また、容器１は、必要な場合には例えば電磁波（例えば、赤外線、いわゆるＩＲ線）を介して、電子ユニット２が一次鍵１０の電子ユニット１２と通信できるようにする手段３を含む。
【００１３】
一次鍵１０の電子ユニット１２と容器１の電子ユニット２の間の通信は両矢印５０によって示す。上述の通信は、無線通信であっても、帯域の制限された通信であっても、ＩＲ線に基づいていてもよい。通信は、関係する電子ユニット間での一時的なはめ込み（male-female）接続によっても行うことができる。
【００１４】
また、図１には一次鍵１０と組み合わせて可搬式容器１を停止しかつ／または開放することができるように設計されている第２の鍵／二次鍵２０を示す。図示の二次鍵２０は、外側ケーシング２１に対するあらゆる種類の権限のない操作、例えば、ケーシングを穿孔するかあるいはケーシングを開放しようとする試みを知らせることができるように警報システムを備える外側ケーシング２１に封入されている。鍵ケーシングまたは封入容器（encapsulation）２１内には、第３の電子ユニット２２が設けられ、電源が設けられる場合もある。外側封入容器２１を穿孔または開放しようとする試みは、二次鍵２０に含まれる符号の破壊につながる。二次鍵２０はまた、図示のように操作ボタン２３を備えてもよい。
【００１５】
二次鍵２０の電子ユニット２２は、一時的にプログラミング装置を接続することができる電気ソケットによって、符号および可能な場合には他の情報をロードすることができる。また、鍵２０は、直接または一次鍵１０を介して、例えば電磁波（例えば、赤外線、いわゆるＩＲ線）を用いるかまたは一時的な電源接続を用いて、電子ユニット２２が容器１の電子ユニット２と通信することができるようにする手段を含む。
【００１６】
二次鍵２０は一次鍵１０と通信する手段を含む。これらの通信手段は、接続点３０を介して一次鍵１０と一時的に接続することができる１つまたは複数の導電体２８からなることができる。鍵１０と鍵２０の間の符号通信に加えて、１つまたは複数の導体２８は、鍵１０の電源から鍵２０に動作電流を送ることもでき、それによって、鍵２０にそれ自体の電源を設ける必要がなくなる。
【００１７】
本発明の方法は、概ね以下の通りである。輸送可能セキュリティ容器１の停止および／または開放の開始には、完全な符号セットＡＢＣＤが必要であると仮定する。一次鍵１０の電子ユニット１２は例えば符号ＡＢに対応する第１の符号サブセットを含むため、および二次鍵２０の電子ユニット２２は例えば符号ＣＤに対応する第２の符号サブセットを含むため、２つの鍵１０および２０は、合わせると、輸送可能容器１の停止および／または開放を開始するのに必要な完全な符号ＡＢＣＤを含む。したがって、容器１を停止しかつ／または正しく開放することができるようにするためには、一次鍵１０および二次鍵２０の両方を同時に使用しなければならない。したがって、鍵１０と鍵２０の間で符号の相互作用および／または対話形式の通信を達成することが必要である。これは、認証された二次鍵２０が保管されている指定された宛先または地理的な位置においてのみ容器を停止しかつ／または開放することができることを意味する。一次鍵１０は、二次鍵と別々にされた場合、符号サブセットＡＢのみを含むので、一次鍵１０を紛失しても、鍵１０のみによって容器／ケースの貴重な内容物への不正なアクセスを得ることができる危険を生じない。したがって、容器内容物へのアクセスは、二次鍵２０が保管されている地理的な位置において、同時に容器１および一次鍵１０を管理する輸送責任者がこの宛先を訪れているときにのみ達成することができる。必要な場合、一次鍵１０は別々に輸送される。
【００１８】
一次鍵１０と二次鍵２０の間の通信は、所望に応じて、無線でかつ帯域の制限された通信であってよいことが理解されよう。例えば、第２の鍵をその目的とする宛先／使用場所に別々に配布する前に、中央ステーションにおいてその二次鍵２０にその符号サブセットＣＤをロードすることができる。
【００１９】
また、鍵１０、２０、およびセキュリティケースまたはバッグ１の間の通信は、複数の相互の符号交換および符号変換を伴う、非常に高度なものであり得ることも理解されよう。しかし、本発明の中心的な特徴は、鍵１０および２０が、容器１の停止および／または開放を開始するのに必要な完全な符号セットを共有することである。
【００２０】
２つの鍵１０および２０を合わせて、容器１に物理的に接続し、それとともにその容器を停止しかつ／または開放する際に、２つの鍵には、所望に応じて容器１の電源から電流を供給することができる。
【００２１】
鍵１０および２０の構造設計および符号内容に関して、ならびに符号変換の能力に関しても、本発明の範囲内で多数の変形形態が可能であることが理解されよう。鍵１０および２０は直列および／または並列で動作することができる。
【００２２】
例えば、輸送センター２００および３つの保管（depositing）ステーションおよび／または集荷ステーション１１０、１２０、１３０を含む図２による輸送経路１００の場合、宛先／位置１１０では符号ＡＢＣＤによって停止する／開放することができ、宛先／位置１２０では符号ＡＢＥＦによって停止する／開放することができ、かつ宛先／位置１３０では符号ＡＢＧＨによって停止する／開放することができる容器１を使用することができる。その際、１つの二次鍵２０は地理的な位置１１０に対して符号サブセットＣＤが予め配布されており、１つの二次鍵２０は地理的な位置１２０に対して符号サブセットＥＦがロードされており、１つの二次鍵２０は地理的な位置１３０に対して符号サブセットＧＨをロードされており、上記それぞれの二次鍵２０は権限のある人によって安全な方法で保管されている。
【００２３】
容器１の電子ユニット２は、例えば、輸送車両３００によって容器を中央ステーション２００から輸送する前に、関係する輸送経路についてプログラムされている。容器および／または上記車両３００が許容される期間内に正しい宛先に到着するならば、鍵１０および２０を組み合わせて提供される完全な符号セットにより、容器１を停止／開放することができる。容器１および／または車両３００の位置は、例えば、移動通信ネットワーク、ＧＰＳ、または他の何らかの適当な位置表示方法によって監視することができる。これにより、経路偏差および／または時間偏差を求めて修正することができる。
【００２４】
容器を輸送する人に一度に１つの集荷ステーション／配達ステーションの識別情報（identity）を順次通知することにより、全体の輸送距離のうちの１つの近くの区間（所与の経路選択区間）のみがその人に知られるようにすることによって、セキュリティレベルをさらに高めることができる。
【００２５】
セキュリティは、時間枠、地理的枠、最大許容経路偏差等を制限すること等によっても高めることができる。道路／経路および経路パターンの選択は、もちろん、時刻等によって変化してもよい。かかる措置を取って、いわゆる内部犯罪をより実行し難くすることができる。
【００２６】
例えば、盗難に対するセキュリティレベルをより高めるために、本発明は、例えばいわゆるリアルタイム保護を追加することもでき、これにより、容器を、特定の期間すなわち時間枠中に目的とする配達ステーションにおいてのみ開放することができる。もちろん、セキュリティ要件は、危険性評価に対応するようになっており、時には時間要件および位置要件を除外することもできる。
【００２７】
図２に例示する輸送経路の場合、車両３００は中央ステーション２００を発って経路区間１０１を通った後、地理的な位置１１０で配達／集荷する。ここで、容器１を、符号サブセットＡＢを含み車両により搬送される。一次鍵１０を、符号サブセットＣＤを含み或る位置に保管されている（position-stored）二次鍵２０と協働させることによって開放／停止することができる。また、ここで容器１は空にされかつ／または貴重品を詰め込むことができ、その後、容器は閉鎖され、警報システムが作動する。そして、地理的な位置１２０へと経路区間１０２に沿って輸送は続けられ、地理的な位置１２０では、符号ＡＢを含み車両によって搬送される一次鍵１０を、符号サブセットＥＦを含み位置１２０において保管されている二次鍵２０と協働させることによって、容器１を開放／停止する。必要な作業が完了すると、容器１は再び閉鎖され、その警報システムが作動されて地理的な位置１３０へと経路区間１０３に沿って輸送は続けられ、地理的な位置１３０では、符号サブセットＡＢを含み車両によって搬送される一次鍵を、符号サブセットＧＨを含み位置１３０において保管されている二次鍵２０と共に用いることによって、容器１を停止／開放することにより配達／集荷手順が繰り返される。関連する作業が完了すると、容器１は閉鎖され、その警報システムが作動され、その後、中央ステーション２００へと経路区間１０４に沿って輸送が続けられる等である。
【００２８】
図示の実施形態の場合、一次鍵１０は、輸送経路に沿って訪問する１人または複数の顧客に関してセキュリティ中央ステーション２００においてプログラムされ、それにより一次鍵１０は、通常、例えば顧客の宛先セキュリティ容器１に関連付けられている顧客に特有の符号サブセットを含む。同一の輸送経路に沿って何人かの顧客を訪問する場合、第２の顧客に、顧客に特有の符号サブセットを有する第２の一次鍵と協働する第２のセキュリティ容器１を割り当てること等ができる。
【００２９】
したがって、各セキュリティ容器１は、常に同じ符号サブセットを含む単一の一次鍵を有し、そのため通常は、例えば一つの同一の顧客(one and the same customer)に対する互いに異なる輸送作業間に再度プログラムする必要がなく、それによって処理および管理がとても簡単になる。容器の輸送中には、警報システムを作動せずに容器を開放して盗みをはたらくことはうまくできない。輸送車両が携行する一次鍵では符号サブセットを１つしか見つけることができないためである。紛失した二次鍵２０は、封鎖され、異なる符号サブセットを含む別の二次鍵と取り替えること等ができる。
【００３０】
一次鍵および１つまたは複数の二次鍵の物理構成は、本発明の範囲内で幅広く変化させることができることは理解されよう。
【００３１】
例えば、一次鍵は、開放先の認証のためのＧＰＳ機器を含むことができる。
【００３２】
単純な形態では二次鍵は、メモリカードまたはボード、メモリワイヤ（memory wire）（例えば、Maxim Integrated Products製のいわゆる１−Ｗｉｒｅ（登録商標））、あるいは使用時に一次鍵と一時的にドッキングまたは接続するなんらかの他のメモリデバイスからなることができる。かかる二次鍵はそれ自体の電源を必要としない。この場合、二次鍵のシリアル番号すなわち製造番号は、符号サブセットＣＤ等からなることができる。
【００３３】
一次鍵を単純な構造にして複雑性および／または情報を１つまたは複数の二次鍵に入れることは本発明の範囲内にあることが理解されよう。したがって、本発明の範囲内で多くの変形形態が可能であることが理解されよう。
【００３４】
さらに、簡単にするため、複数の地理的な位置に関して同一の符号サブセットを含む複数の二次鍵を使用することも本発明の枠組み内にあると考えられるが、これはほとんどの場合セキュリティレベルを低下させることとなる。
【００３５】
上記のことから、本発明は、貴重品の輸送に関して、非常に高度なセキュリティをもたらし、本発明の概念の範囲内で多くの変形形態が考えられることも理解されよう。
【００３６】
したがって、本発明は図示し説明した主題に限定されず、添付の特許請求項の範囲内で変更形態や修正形態が考えられる。
【図面の簡単な説明】
【００３７】
【図１】一次鍵、二次鍵、およびセキュリティバッグあるいはケースの形態の輸送可能容器の概略斜視図である。
【図２】中央ステーションと３つの異なる宛先との間の輸送経路の概略図である。
【図１】
2005515337.tif 000003
【図２】
2005515337.tif 000004
【国際調査報告】
2005515337.tif 000005
2005515337.tif 000006